(57)【特許請求の範囲】
【請求項１】
壁の裏側に配備されて前記壁に形成された壁孔から前記壁の表側に臨む開口部を備える継手収容体に、流体管を、前記開口部から出し入れする際に、前記流体管を保護する、流体管保護部材であって、
前記壁の表側から前記継手収容体に取り付けられて、前記開口部から出し入れされる流体管が前記壁等と当接するのを防止する、本体部を備え、
前記本体部は、筒部と中間部と大径部とからなり、
前記筒部は、前記壁孔内において前記開口部に嵌まるよう筒状に形成されて両端が開口し、その筒部には、前記壁の表側から前記継手収容体に固定されるよう、前記開口部に螺合する螺合部が設けられ、
前記中間部は、前記筒部から前記壁の表側に延設されてテーパー状に広がって形成され、
前記大径部は、前記中間部から延設されて前記壁の表側壁面上を径が大となるよう広がって形成され、かつ、その大径部と前記継手収容体とで、前記壁を、前記開口部への前記螺合部のねじ込みにより、挟持するように、形成されており、また、
前記本体部は、その本体部が前記継手収容体に取り付けられた状態で、前記開口部から前記壁の表側に出ている前記流体管に接続された継手を、前記開口部から前記継手収容体に収容可能となるよう形成されていることを特徴とする流体管保護部材。
【請求項２】
前記本体部には、その本体部を、前記螺合部が前記開口部と螺合するよう回動することができる、指掛部が設けられることを特徴とする請求項１に記載の流体管保護部材。
【請求項３】
前記指掛部は、前記大径部に設けられていることを特徴とする請求項２に記載の流体管保護部材。
【発明の詳細な説明】
【０００１】
【発明の属する技術分野】
この発明は、継手収容体から流体管を出し入れする際に、その流体管を保護する流体管保護部材に関するものである。
【０００２】
【従来の技術】
従来、流体管保護部材として、例えば、特公平６−８４６７７号に示されるものがあった。この流体管保護部材は、図７に示されるように、湾曲して形成されたガイド管２１からなり、ボックス状の継手収容体２２に、その前面開口孔２２ａから挿入されるものであった。そして、継手収容体２２に、その継手収容体２２の下部開口孔２２ｂから入った流体管２３は、その先端部分が、ガイド管２１によって案内されて、前面開口孔２２ａから、壁２４の表側に導かれた。また、このとき、ガイド管２１は、壁２４の表側まで延びる先端部分において、流体管２３が壁２４等に当接して傷つくのを防ぐ役割も果たしていた。
【０００３】
そして、流体管２３の先端部分が壁２４の表側まで出ると、ガイド管２１は、継手収容体２２から取り外され、流体管２３の先端部分に、継手（図示せず）が接続された。その後、流体管２３を継手収容体２２内に押し戻すようにして、継手は、前面開口孔２２ａから継手収容体２２内に収容された。
【０００４】
【発明が解決しようとする課題】
ところで、前記従来の、流体管保護部材となるガイド管２１にあっては、流体管２３を、前面開口孔２２ａから、壁２４の表側まで出す場合には、その流体管２３を保護することはできた。しかし、先端部分に継手が接続された流体管２３を、継手収容体２２内に押し戻す場合には、継手がガイド管２１と干渉するため、継手を流体管２３に接続する前に、ガイド管２１は、継手収容体２２から取り外された。したがって、流体管２３を継手収容体２２内に押し戻す場合には、流体管２３を保護することはできなかった。
【０００５】
この発明は、上記した従来の欠点を解決するためになされたものであり、その目的とするところは、流体管を、継手収容体側に導く場合にも、その流体管を保護することができる、流体管保護部材を提供することにある。
【０００６】
【課題を解決するための手段】
この発明に係る流体管保護部材は、前記目的を達成するために、次の構成からなる。すなわち、
請求項１に記載の発明に係る流体管保護部材は、壁の裏側に配備されて前記壁に形成された壁孔から前記壁の表側に臨む開口部を備える継手収容体に、流体管を、前記開口部から出し入れする際に、前記流体管を保護する、流体管保護部材である。この流体管保護部材は、前記壁の表側から前記継手収容体に取り付けられて、前記開口部から出し入れされる流体管が前記壁等と当接するのを防止する、本体部を備える。ここで、前記本体部は、筒部と中間部と大径部とからなる。前記筒部は、前記壁孔内において前記開口部に嵌まるよう筒状に形成されて両端が開口し、その筒部には、前記壁の表側から前記継手収容体に固定されるよう、前記開口部に螺合する螺合部が設けられている。前記中間部は、前記筒部から前記壁の表側に延設されてテーパー状に広がって形成されている。そして、前記大径部は、前記中間部から延設されて前記壁の表側壁面上を径が大となるよう広がって形成され、かつ、その大径部と前記継手収容体とで、前記壁を、前記開口部への前記螺合部のねじ込みにより、挟持するように、形成されている。また、前記本体部は、その本体部が前記継手収容体に取り付けられた状態で、前記開口部から前記壁の表側に出ている前記流体管に接続された継手を、前記開口部から前記継手収容体に収容可能となるよう形成されている。
【０００７】
これにより、この流体管保護部材を、壁の表側から継手収容体に取り付けておくことで、継手収容体に、流体管を、開口部から壁孔を通して壁の表側に出す際に、流体管は、流体管保護部材の本体部によって保護されて、壁等と当接するのが防止される。そして、継手収容体の開口部から壁の表側に出ている流体管に、継手を接続し、流体管を開口部から継手収容体側に導くようにして、継手を、開口部から継手収容体に収容する。このとき、流体管保護部材の本体部が、継手収容体に取り付けられたまま、継手は、継手収容体に収容される。このように、流体管を、継手収容体の開口部から出し入れする際に、流体管が壁等と当接するのが防止され、流体管が傷ついたり、あるいは、反対に壁等が傷ついたりするのを防ぐことができる。
【０００８】
【０００９】
【００１０】
そして、螺合部が、継手収容体の開口部に螺合することで、螺合部は、開口部に固定され、この流体管保護部材の本体部は、継手収容体に強固に取り付けられる。したがって、流体管を、継手収容体の開口部から出し入れする際に、流体管が流体管保護部材の本体部と擦っても、流体管保護部材が継手収容体から外れにくい。
【００１１】
しかも、流体管保護部材の螺合部を、継手収容体の開口部にねじ込むことで、流体管保護部材の本体部における大径部と継手収容体とが、壁を挟持する。したがって、この流体管保護部材の本体部は、壁を介して、継手収容体に一層強固に取り付けられる。
【００１２】
また、請求項２に記載の発明に係る流体管保護部材のように、前記本体部には、その本体部を、前記螺合部が前記開口部と螺合するよう回動することができる、指掛部が設けられてもよい。これにより、指掛部に指を掛けて、本体部を回動することで、この流体管保護部材の螺合部を継手収容体の開口部に螺合させることができる。
また、請求項３に記載の発明に係る流体管保護部材のように、前記指掛部は、前記大径部に設けられてもよい。
【００１３】
【発明の実施の形態】
以下、この発明に係る流体管保護部材の実施の形態を図面に基づいて説明する。
【００１４】
図１ないし図５は、本発明に係る流体管保護部材の一実施の形態を示す。図中符号１は、建物の壁体であり、例えば、外壁２と、本発明における壁となる内壁３とから構成されている。４は、ボックス状の継手収容体であり、壁体１内であって内壁３の裏側Ｐ１に配備されて、内部には、継手としてのエルボー５が収容される。６は、水、湯、ガス等の流体を供給または排出する可撓性を備えた流体管としての、例えば、水や湯を供給する剛性の高い給水管である。７は、本発明に係る流体管保護部材である。
【００１５】
ここで、継手収容体４は、前記エルボー５が収容される本体４ａと、第１および第２の開口部４ｂ、４ｃとを備える。本体４ａは、略直方体中空形状に形成されて、内部の上面４ｄは、前方（図２ないし５において左方）ほど高くなるように傾斜して、給水管６を第１の開口部４ｂ側に案内する案内面となっている。第１の開口部４ｂは、本体４ａの前面上部から筒状に前方に若干突出して形成されている。そして、この第１の開口部４ｂが、内壁３に形成された壁孔３ａに嵌まることで、第１の開口部４ｂは、壁孔３ａから内壁３の表側Ｐ２、つまり室内側に臨んでいる。さらに、第１の開口部４ｂには、その内面に、雌ねじ部４ｅが設けられている。そして、この雌ねじ部４ｅには、本体４ａ内に収容されるエルボー５の鍔部５ａを抑えることで、そのエルボー５を固定することができるリング状のロックリング８が螺合する（図５参照）。また、第２の開口部４ｃは、本体４ａの下面から筒状に下方に突出して形成されており、内壁３の裏側Ｐ１に開口している。そして、この第２の開口部４ｃには、給水管６が挿通される鞘管９が接続される。
【００１６】
エルボー５は、図５に示すように、その大半が、本体４ａの内部に収容されて、水平方向に延びる一方の接続口５ｂの先端部分が、継手収容体４の第１の開口部４ｂから外部に露出する。この接続口５ｂには、内側の雌ねじ部（図示せず）に、キャップ１０がねじ込まれているが、このキャップ１０を取り外すことで、接続口５ｂに水栓等の給水器具等（図示せず）を取り付けることができる。また、エルボー５の鉛直下方に延びる他方の接続口５ｃは、継手収容体４の第２の開口部４ｃから内部に挿入される給水管６に接続される。こうして、給水管６を通ってエルボー５に流れる水や湯が、一方の接続口５ｂから水栓等の給水器具等に供給される。
【００１７】
流体管保護部材７は、継手収容体４に第２の開口部４ｃを通って入る給水管６の先端部分を、第１の開口部４ｂから出し入れする際に、給水管６を保護するものである。この流体管保護部材７は、例えば、ポリエチレン樹脂等の合成樹脂材料からなり、内壁３の表側Ｐ２から継手収容体４に取り付けられて、第１の開口部４ｂから出し入れされる給水管６が内壁３等と当接するのを防止する本体部７ａを備える。そして、本体部７ａは、その本体部７ａが、継手収容体４に取り付けられた状態で、第１の開口部４ｂから内壁３の表側Ｐ２に出ている給水管６の先端部分に接続されたエルボー５を、第１の開口部４ｂから継手収容体４に収容可能となるよう形成されている。具体的には、流体管保護部材７の本体部７ａは、エルボー５が内側を通過することのできる、筒部７ｂ、中間部７ｃおよび大径部７ｄからなる。筒部７ｂは、壁孔３ａ内において継手収容体４の第１の開口部４ｂに嵌まるよう、筒状に形成されて、両端が開口している。中間部７ｃは、筒部７ｂから、壁孔３ａ内を内壁３の表側Ｐ２に延設されて、テーパー状に広がって形成されている。大径部７ｄは、中間部７ｃから延設されて、内壁３の表側壁面３ｂ上を、径が大となるようそして波打つようにして広がって形成されている。こうして、本体部７ａの、特に中間部７ｃおよび大径部７ｄは、少なくとも壁孔３ａから内壁３の表側壁面３ｂにかかるコーナー部分３ｃの全周を覆っている。その上、本体部７ａの、特に大径部７ｄは、その大径部７ｄと、継手収容体４とで、内壁３を、第１の開口部４ｂの雌ねじ部４ｅへの後述する雄ねじ部７ｅのねじ込みにより、挟持するように形成されている。
【００１８】
また、本体部７ａの筒部７ｂには、その外面に、第１の開口部４ｂの雌ねじ部４ｅに螺合する、螺合部としての雄ねじ部７ｅが設けられている。そして、この雄ねじ部７ｅは、内壁３の表側Ｐ２から継手収容体４に固定される被固定部となっている。こうして、この流体管保護部材７は、雄ねじ部７ｅによって、継手収容体４に、着脱可能に取り付けられる。また、本体部７ａには、その本体部７ａを、雄ねじ部７ｅが前記雌ねじ部４ｅと螺合するよう回動することができる、指掛部７ｆが設けられている。この指掛部７ｆは、指を掛けることができる窪みからなり、本体部７ａの大径部７ｄの表側に、円周上に等間隔に並んで形成されている。
【００１９】
次に、以上の構成からなる流体管保護部材７の作用効果を、継手収容体４へのエルボー５の取付方法とともに説明する。初めに、図２に示すように、内壁３の裏側壁面３ｄに取り付けられるようにして、内壁３の裏側Ｐ１に配備された継手収容体４の第２の開口部４ｃに、鞘管９の一方端を接続する。そして、流体管保護部材７を、内壁３の表側Ｐ２から、つまり室内側から、継手収容体４における第１の開口部４ｂに取り付ける。このとき、指掛部７ｆに指を掛けて、本体部７ａを回動することで、この流体管保護部材７の雄ねじ部７ｅを、継手収容体４における第１の開口部４ｂの雌ねじ部４ｅに螺合させることができる。その後、給水管６を、鞘管９内に、その他方端から挿入し、継手収容体４の、第２の開口部４ｃおよび本体４ａを挿通させて、給水管６の先端部分を、第１の開口部４ｂから壁孔３ａを通して内壁３の表側Ｐ２に出す。この際、給水管６は、流体管保護部材７の本体部７ａを通ることで、給水管６が、内壁３や第１の開口部４ｂの雌ねじ部４ｅと当接するのが防止され、給水管６が傷ついたり、あるいは、反対に内壁３や雌ねじ部４ｅが傷ついたりするのを防ぐことができる。
【００２０】
そして、継手収容体４の第１の開口部４ｂから内壁３の表側Ｐ２に出ている給水管６の先端部分に、エルボー５を接続し（図３参照）、次いで、給水管６を第１の開口部４ｂから継手収容体４側に戻すようにして、エルボー５を、第１の開口部４ｂから継手収容体４に収容する（図４参照）。このとき、流体管保護部材７の本体部７ａが、継手収容体４に取り付けられたまま、給水管６に接続されたエルボー５や、給水管６の先端部分は、本体部７ａを通って、第１の開口部４ｂから継手収容体４に収容される。このように、給水管６を、エルボー５とともに、継手収容体４の第１の開口部４ｂから入れる際には、給水管６やエルボー５が、内壁３や第１の開口部４ｂの雌ねじ部４ｅと当接するのが防止され、給水管６やエルボー５が傷ついたり、あるいは、反対に内壁３や雌ねじ部４ｅが傷ついたりするのを防ぐことができる。したがって、給水管６を、継手収容体４に戻す場合にも、給水管６等を保護することができる。
【００２１】
とくに、給水管６は、既述の通り、剛性が高いため、その先端部分を内壁３の表側Ｐ２に強引に引き出したり戻したりする際に、湾曲させた給水管６が強い力で真っ直ぐな状態に戻ろうとするが、前記本体部７ａによって、その給水管６が、内壁３へ直接衝突するのを避けることができ、このような観点からも、内壁３等の損傷を防ぐことができる。
【００２２】
次いで、流体管保護部材７を、継手収容体４から取り外す。このとき、指掛部７ｆに指を掛けて、本体部７ａを回動することで、この流体管保護部材７の雄ねじ部７ｅを、継手収容体４における雌ねじ部４ｅから緩めて外すことができる。その後、図５に示すように、ロックリング８を、第１の開口部４ｂの雌ねじ部４ｅにねじ込むことで、エルボー５を、継手収容体４に固定する。そして、エルボー５の接続口５ｂの先端部分に、化粧リング１１およびロックナット１２が嵌められる。
【００２３】
このようにして、給水管６を、継手収容体４の第１の開口部４ｂから出し入れする際に、流体管保護部材７の本体部７ａによって、給水管６やエルボー５、そして内壁３や雌ねじ部４ｅは、保護されるが、本体部７ａは、壁孔３ａから内壁３の表側壁面３ｂにかかるコーナー部分３ｃの全周および、雌ねじ部４ｅの全周を覆っており、給水管６やエルボー５は、前記コーナー部分３ｃの、壁孔３ａ回りのいずれの方向にも当接するのが防止されるとともに、雌ねじ部４ｅの、その内周回りのいずれの方向にも当接するのが防止される。したがって、給水管６を出し入れする方向を気にすることなく作業することができ、確実に、給水管６等を保護することができる。なお、図示実施の形態においては、給水管６を、継手収容体４の第１の開口部４ｂを介して、内壁３の裏側Ｐ１から、その表側Ｐ２に引き出して、その先端部分にエルボー５を接続する例について述べたが、それとは逆に、給水管６を、前記第１の開口部４ｂを介して、内壁３の表側Ｐ２から、その裏側Ｐ１へと押し入れるように挿入し、かつ、内壁３の表側Ｐ２に出ているように残された、前記給水管６の先端部分にエルボー５を接続するようにしても構わない。
【００２４】
また、流体管保護部材７の本体部７ａは、継手収容体４に、固定的に取り付けられるので、給水管６を継手収容体４の第１の開口部４ｂから出し入れする際に、給水管６が流体管保護部材７の本体部７ａと擦っても、流体管保護部材７が、継手収容体４から外れにくい。しかも、この流体管保護部材７の本体部７ａは、雄ねじ部７ｅと雌ねじ部４ｅとの螺合によって、継手収容体４に強固に取り付けられる。したがって、給水管６を、第１の開口部４ｂから出し入れする際に、流体管保護部材７が、継手収容体４から外れるのを防ぐことができる。さらに、流体管保護部材７における雄ねじ部７ｅを、継手収容体４における雌ねじ部４ｅにねじ込むことで、流体管保護部材７の本体部７ａと継手収容体４とが、内壁３を挟持することとなり、本体部７ａは、内壁３を介して、継手収容体４に一層強固に取り付けられる。また、内壁３が、石膏ボードなど、止めねじ等の固着具がききにくい素材からなる場合であっても、継手収容体４は、流体管保護部材７の本体部７ａとの間で内壁３を挟持するようにして、その内壁３に強固に固定される。したがって、給水管６を、第１の開口部４ｂから出し入れする際に、流体管保護部材７が、継手収容体４から外れたり、あるいは、継手収容体４が、流体管保護部材７とともに内壁３から外れたりするのを一層確実に防ぐことができる。
【００２５】
なお、本発明は、上述した実施の形態に限定されるわけではなく、その他種々の変更が可能である。例えば、図６に示すように、給水管６の先端部分を、第１の開口部４ｂから内壁３の表側Ｐ２に出すにあたって、予め、給水管６を案内するガイド管１３を、流体管保護部材７を通って、第１の開口部４ｂから継手収容体４内に挿入しておいてもよい。こうして、給水管６は、ガイド管１３内を、そのガイド管１３によって案内されて、内壁３の表側Ｐ２に導かれる。その後、ガイド管１３が、継手収容体４から取り出され、給水管６の先端部分に、エルボー５が接続されるが（図３参照）、以下の手順は、ガイド管１３を使用しない前述の場合と同様である。
【００２６】
また、流体管保護部材７の螺合部は、雄ねじ部７ｅとなっているが、この雄ネジ部７ｅの代わりに、筒部７ｂの内面に雌ねじ部を設け、その雌ねじ部と螺合するよう、継手収容体４の雌ネジ部４ｅの代わりに、第１の開口部４ｂの外面に雄ねじ部を設けてもよい。
【００２７】
また、継手は、エルボー５に限定されるものではなく、その他の形状の継手であってもよい。
【００２８】
さらに、継手収容体４は、必ずしも、その本体４ａ内にエルボー５を覆い囲んで収容するようなボックス状となっている必要はなく、例えば、前記本体４ａの上方とか後方もしくは側方が開放されているような構造、あるいは、内壁３の裏側壁面３ｄに当接する板体のみから本体４ａが構成される構造であってもよい。また、継手収容体４は、第１の開口部４ｂに相当する開口部を有するも、第２の開口部４ｃに相当する開口部を有しない構造であっても構わない。
【００２９】
【発明の効果】
以上、詳述したところから明らかなように、この発明に係る流体管保護部材によれば、次の効果がある。
【００３０】
請求項１に記載された流体管保護部材によれば、流体管保護部材の本体部が、継手収容体に取り付けられたまま、流体管が接続された継手を、継手収容体に収容することができ、したがって、流体管を、継手収容体側に導く場合にも、その流体管を保護することができる。
【００３１】
【００３２】
【００３３】
そして、開口部に螺合する螺合部によって、流体管保護部材の本体部は、継手収容体に、強固に取り付けられる。したがって、流体管を、継手収容体の開口部から出し入れする際に、流体管保護部材が継手収容体から外れるのを防ぐことができる。
【００３４】
しかも、流体管保護部材の螺合部を、継手収容体の開口部にねじ込むことで、流体管保護部材の本体部における大径部と継手収容体とが、壁を挟持するので、流体管保護部材の本体部は、継手収容体に、一層強固に取り付けられる。したがって、流体管を、継手収容体の開口部から出し入れする際に、流体管保護部材が継手収容体から外れるのを一層確実に防ぐことができる。
【００３５】
また、請求項２および３に記載された流体管保護部材によれば、加えて、指掛部に指を掛けることで、流体管保護部材の本体部を回動することができるので、工具を使うことなく、本体部を継手収容体に取り付けることができる。
【図面の簡単な説明】
【図１】  この発明に係る流体管保護部材の一実施の形態の、斜視図である。
【図２】  同じく、継手収容体へのエルボーの取付方法を示す、一番目の拡大断面図である。
【図３】  同じく、継手収容体へのエルボーの取付方法を示す、二番目の拡大断面図である。
【図４】  同じく、継手収容体へのエルボーの取付方法を示す、三番目の拡大断面図である。
【図５】  同じく、継手収容体へのエルボーの取付方法を示す、四番目の拡大断面図である。
【図６】  同じく、継手収容体へのエルボーの取付方法の、他の例を示す、図２相当図である。
【図７】  従来の流体管保護部材を示す、断面図である。
【符号の説明】
３  内壁（壁）                        ３ａ  壁孔
３ｂ  表側壁面                        ４  継手収容体
４ｂ  第１の開口部（開口部）          ５  エルボー（継手）
６  給水管（流体管）                  ７  流体管保護部材
７ａ  本体部                          ７ｂ  筒部
７ｃ  中間部 ７ｄ  大径部
７ｅ  雄ねじ部（螺合部）              ７ｆ  指掛部
Ｐ１  裏側                            Ｐ２  表側
【図１】
0003679962.tif 000002
【図２】
0003679962.tif 000003
【図３】
0003679962.tif 000004
【図４】
0003679962.tif 000005
【図５】
0003679962.tif 000006
【図６】
0003679962.tif 000007
【図７】
0003679962.tif 000008